(57)【特許請求の範囲】
【請求項１】
一つ又はそれ以上のデータチャネルを介してメッセージの伝達のために相互接続された複数の装置を含み、各装置は、副装置要素として当該一つ以上のチャンネルの少なくとも一つを介してアドレス可能な少なくとも一つの機能的要素を含み、前記システム内の前記副装置は、ユーザー判読可能なメッセージを前記システムのユーザーへ表示するためのユーザー出力副装置を含み、ユーザー判読可能なメッセージが、装置の状態情報により決められ、この装置の前記副装置要素によりユーザー判読可能なメッセージへつくられ、かつ表示のために前記ユーザー出力副装置へ直接又は間接に伝送されるローカルコミュニケーションシステムにおいて、各ユーザー判読可能なメッセージには各表示寿命が割り当てられ、かつ前記ユーザー出力副装置が、メッセージの発生副装置と現在表示されている何れのメッセージの寿命とも独立して、前記メッセージの寿命または各メッセージの寿命を計数し、かつこの各寿命の満了時に表示から前記メッセージまたは各メッセージを削除することを特徴とするローカルコミュニケーションシステム。
【請求項２】
請求項１に記載のシステムにおいて、表示のために前記ユーザー出力副装置へ伝送されたユーザー判読可能なメッセージが前記メッセージの前記発生副装置に対する識別子を含み、伝送受信後、前記ユーザー出力副装置は前記メッセージの前記発生副装置へ直接又は間接に前記ユーザー判読可能なメッセージが表示されたか否かを示す応答メッセージを伝送することを特徴とするシステム。
【請求項３】
請求項１に記載のシステムにおいて、前記メッセージの前記発生副装置がこのメッセージに対する表示寿命を決めるように及び前記メッセージ内に前記寿命の表示を含むように動作し、並びに前記ユーザー出力副装置が、前記表示を検出し及び前記表示された寿命を適用するように動作することを特徴とするシステム。
【請求項４】
請求項３に記載のシステムにおいて、前記メッセージの前記発生副装置が、計数手段を含み、かつ表示の持続期間をのばすために前記メッセージの前記寿命内に、前記メッセージを前記ユーザー出力副装置へ再送するように動作することを特徴とするシステム。
【請求項５】
請求項１に記載のシステムにおいて、前記メッセージの前記発生副装置が、そのメッセージのための表示モードを特定するように動作し、かつその表示モードをもとにして前記ユーザー出力副装置が、寿命を、受信したメッセージに割り当てることを特徴とするシステム。
【請求項６】
請求項３に記載のシステムにおいて、前記ユーザー出力副装置が、前記メッセージの前記発生副装置により設定された寿命の表示を含まない受信されたユーザー判読可能なメッセージに対し、寿命を決定しかつ付与するように動作することを特徴とするシステム。
【請求項７】
請求項１に記載のシステムにおいて、前記ユーザー出力副装置が、前記メッセージの前記発生副装置とは独立に、同一の寿命を各受信されたユーザー判読可能なメッセージへ与えることを特徴とするシステム。
【請求項８】
請求項１に記載のローカルコミュニケーションシステムで使用される表示装置において、前記表示装置によって受信された前記ユーザー判読可能なメッセージが、各表示の寿命のスペシ８フィケーションを含み、前記表示装置が、当該スペシフィケーションを検知するように設定されている手段と、前記メッセージの前記発生副装置とは独立に前記特定されたメッセージの寿命をカウントする計数手段とを含み、前記ユーザー出力副装置が、前記カウントされたメッセージの寿命の終了に基づいて表示から前記メッセージを除去するように構成されていることを特徴とする表示装置。
【発明の詳細な説明】
発明の属する技術分野
この発明は、ローカルコミュニケーションシステム及びこのシステムの使用のための装置に関する。特に本発明は、一つ又はそれ以上のデータチャネルを介してメッセージの伝達のために相互接続された複数の装置を有するローカルコミュニケーションシステムに関し、各装置は少なくとも一つの機能的副装置を含み、このシステム内の当該副装置はユーザー判読可能なメッセージを当該システムのユーザーに表示するためのユーザー出力副装置を含み、ユーザー判読可能なメッセージは、装置の状態情報により決められ、この装置の該副装置によりユーザー判読可能なメッセージに作られて表示のための該ユーザー出力副装置へ直接又は間接に伝送される。
従来の技術
冒頭に述べたタイプのローカルコミュニケーションシステムの例は、ヨーロッパ特許公報０５０５００６号及び０５３５７４９号に記述されている。
発明の目的及び概要
このシステムに存在する問題は、発生副装置が、伝送されたメッセージの表示を監視する必要があることである。
本発明によると、ユーザー判読可能な各メッセージに表示寿命が割り当てられ、ユーザー出力副装置が、メッセージの発生副装置とは独立して、メッセージを計数し、この寿命の満了時に表示から該メッセージを削除することを特徴とする冒頭で述べたシステムが提供される。
前記発生副装置が割り当てかつメッセージの第一フィールドに示すことができる寿命か、または前記ユーザー出力副装置により発生に関わりなく全てのメッセージに共通に割り当てることができる寿命を使用することは、メッセージを計数したり、メッセージの寿命の終わりにメッセージの削除のためのリクエストを出すことをもはや必要としないので、発生副装置の簡素化を可能にする。
さらに、本発明は、メッセージを表示し、前述のシステムでのユーザー出力副装置の態様でメッセージの寿命の計数を処理するように動作可能な表示装置を提供する。本発明のさらなる特徴は、以下の記述から明らかになるであろう。
発明の実態の形態
本発明の実施例を、以下に、図を参照して具体例に述べる。
図１は、衛星放送チューナー１０、ビデオカセットレコーダー（ＶＣＲ）１２、スマートカードリーダー１３及びテレビ受信器１４を含む家庭ビデオ娯楽システムを示し、すべて、シリアルデータバス１６で接続されている。ビデオ及びオーディオ信号は、該装置１０、１２及び１４間内を、例えば、ＳＣＡＲＴプラグ（ユーロコネクタ）、ソケット及び多重ケーブルを用いて通過する。
前記シリアルデータバスは、バスの分配されたコントロールを提供し、装置１０、１２、１３及び１４のような特定の装置のために、また各装置内にある特定の副装置のために特有の番地付けされるべき他のメッセージ及び命令を許容する。
前記各装置１０、１２及び１４内には、副装置を表すブロックが示されている。装置を副装置に分割することは、論理的意味においてのみ、すなわち、前記シリアルバス１６に関連する行為のポイントから必要である。当該装置の物理的手段において、対応する物理的に別々の副装置があってもなくてもよい。実際、実施例においては、各装置は、副装置の一つのオーディオ／ビデオコントローラー（ＡＶＣ）タイプを含み、図１に点線により示されるようにこれらの副装置から及びこれらの副装置へシステムメッセージを中継して、この装置内の全副装置のためのコントロール及びシステマティックな質問情報が供給される。前記ＡＶＣ副装置は、また概してシステムの（分配された）制御論理を供給し、ユーザーの命令を解釈し、それに応じてシステムの動作を制御する。しばしば、ＡＶＣの制御論理及び他の副装置のいくつか又はその全ては、プログラムされた単一のマイコンを使って集積化されるであろう。図１に示されていない他の副装置は、タイマー、オーディオアンプなどのシステムの中に一般には含まれるであろう。さらに、ここで述べられる副装置は単に代表的サンプルとして表されているに過ぎない。
衛星チューナー装置１０において、チューナー副装置２６（ＴＵＮ）は、接続されている装置へベースバンドのビデオ信号を供給するために必要な信号処理機能を実行する。前記ＡＶＣ副装置２０は、ユーザー入出力（ユーザーＩ／Ｏ）副装置２７（ＵＩＯ）（前記衛星チューナーのフロントパネル及び／又はリモコン）からのユーザーの指示及びバス１６からのシステムメッセージを受け、チャネルを選択し、プリセットのチャネル選択のトラックを保持するなどの動作を行なう。
ＶＣＲ装置１２は、ＡＶＣ副装置２２、ユーザーＩ／Ｏ副装置２９（ＵＩＯ）、地上放送チューナー副装置２８（ＴＵＮ）、スイッチボックス副装置３０（ＳＢ）及びビデオテープ記録再生デッキ３２を含む。
テレビ受信装置１４は、ＡＶＣ副装置２４、ユーザー入出力副装置４１（ＵＩＯ）、地上放送チューナー副装置４２（ＴＵＮ）、スイッチボックス副装置４４（ＳＢ）及びビデオモニタ副装置４６（ＶＩＤ）を含む。前記テレビ受信器のユーザーＩ／Ｏ副装置４１は、これ以降述べられるように、オンスクリーンディスプレイ（ＯＳＤ）機能５０、およびユーザー制御信号を受けるためのリモコン４１ａを有する。
動作において、前記チューナー副装置２６、２８及び４２は、該システム内のビデオ信号源とみなすこともできる。前記ビデオモニタ副装置４６は、ビデオ信号の目的地として、ユーザーに対する像を表示する機能として働くことができる。記録／再生デッキ副装置、３２は、所与の時間に再生及び／又は記録するかに依存して、ビデオ信号の源及び／又は目的地として動作することもできる。
前記装置１０、１２、１４内の機能的要素は、システム副装置として番地付けできるので、前記ＡＶＣ副装置２０、２２、２４のどれも前記バスのコントロール及びこれら副装置への番地命令をとることができる。これは、例えば、ユーザーＩ／Ｏ副装置によりユーザー命令が知らされ、ユーザーの好みを実施するために該システム内の各ポイントでの副装置の制御を要求するＡＶＣ副装置によりなされる。
ある共通の副装置の基本機能を制御するためのシステムメッセージフォーマットは、規定され、その範囲は、新しい命令だけでなく特性及び状態に関して他の質問をするための一つのシステム装置又は副装置を可能にする要求及び応答メッセージを規定する。各スイッチボックス副装置３０及び４４は、入力信号路の特定の一つへ出力信号路を接続するために前記バス（又は協働するＡＶＣ副装置により）を介して制御させることができる。例えば、ユーザーがある衛星放送チャネルを見たいと所望していることを、ユーザーが、前記テレビ受信器装置１４に示すと、適切に番地付けされかつコード付けされたシステムメッセージを、前記バス１６を介して送り、前記衛星チューナー１０、ＶＣＲ１２，カード読み取り器１３及びテレビ１４を確実に作動させ、前記衛星チューナー１０に適切なチャネルを選択させ、前記ＶＣＲスイッチボックス副装置３０及び前記テレビスイッチボックス副装置４４に源から目的地へ適切な信号路を接続させることができる。ユーザーの介入により又は介入なしに、これらのことを行なわせる方法は数多くある。最高にユーザーフレンドリーとするために、全行程を、ユーザー入力を受ける該装置のＡＶＣ副装置により制御させることができる。源から目的地への信号路をつくるために必要な情報は、関連ある装置及び副装置への適切な一連のシステム要求メッセージにより得ることができる。
該システムに対するユーザーフレンドリーなユーザーインターフェースを提供するために、どのＡＶＣ副装置（以下、「ＡＶＣ」）も、前記ユーザーＩ／Ｏ副装置４１のオンスクリーンディスプレイ（ＯＳＤ）機能５０を使って、ユーザーメッセージを表示することを所望することができる。例えば、当該テレビが、ユーザー及びユーザーの所望にしたがった信号路のセットアップにより作動されるときには、該ＡＶＣ２４は、どのチャネルが見られているのかをユーザーに対し視覚的に確認することを所望してもよい。
図２は、可能な三つの表示フィールドＦ１，Ｆ２，Ｆ３をもつスクリーン空間６０を示す。これらは、最小に目立たないテレビ像になるように表示の下近くに配置される。図３に示されるように、メッセージＭ１（この場合、前記ビデオレコーダー１２のＡＶＣ２２からの状態メッセージ）が、これ以降述べられるように、一つ以上のフィールドＦ１，Ｆ２を占めてもよい。また、以下に述べるように、充分に空きフィールドがあるならば、表示フィールドＦ３に表示されている（衛星チューナー１０のＡＶＣ２０からの）メッセージＭ２により示されるように、二つ以上のメッセージを同時に表示させることもできる。
前記ＯＳＤの制御及び動作は、ＯＳＤデータ及びＯＳＤ状態が要求する対話形式言語命令に対するプロトコルにより決められる。
ＯＳＤメッセージを発生するための命令を受ける装置により使われるべき言語及びキャラクタセットを選択するために、該対話形式言語命令を、用いてもよい。
応答は、応答コードにしたがった対話形式言語命令のフォーマット形式である。該応答コードは、４つの値、すなわち「不実施（ｎｏｔ  ｉｍｐｌｅｍｅｎｔｅｄ）」、「拒絶（ｒｅｊｅｃｔ）」、「ビジー（ｂｕｓｙ）」、「完了（ｃｏｍｐｌｅｔｅｄ）」の一つとすることができる。応答コード「不実施」は、装置がこの命令又は特定のオペランドをサポートしないということを示す。応答コード「拒絶」は、装置が受けた命令を一般に実行できるが、実行を妨げる（例えば、該装置が非動作又は緊急状態である）該装置の現在の状態か、又は同じ若しくは他の装置命令／要求が受信されたかによって、この場合に実行不可能となるということを示す。応答コード「ビジー」は該装置が命令を受けていて動作中であるが最終の応答が（「拒絶」か「完了」か）現在不明であることを示す。最終の応答は動作が完了する際に送られるであろう。応答コード「完了」は、命令が特定して実行された、すなわち、前記対話形式言語命令により特定された言語及びキャラクタセットが選択されたということを示す。
前記ＯＳＤデータプロトコルは、伝送された表示データのフォーマットを規定する。データは、図４に示されるような一般のフォーマットで、伝送され、このフォーマットは、以下に述べるように他のフレームへ追加情報を運ぶ多数のフレームシーケンスの第１フレーム、又は単一のフレームメッセージを有する。データが多数のフレームシーケンスで伝送されるときには、ロッキングが、発生から目的の装置への路を維持するために使われる。第１のフレームは目的地をロックし、最終のフレームはそれを解除する。ロックされたシーケンスに対しては、フレームの最大の数（４が好ましい）が、特定される。メッセージがテレビスクリーン上に多数のライン内に表示されるべき必要があるとき、各ラインは別々のフレームシーケンスとして送られる。日本語のデータが送られるときには、各キャラクタは規定の２バイトを必要とし、連続するフレームの間でどの２バイトキャラクタコードも分離しないように注意しなければならない。
もしロックされたときに、メッセージ部分（フレーム）が、あらかじめ決められた期間内に前記ユーザー出力副装置により受信されないならば、当該ロックは、解除され、他の副装置からのメッセージが再び受け入れられると言う中断規定が、ロッキングのためにつくられることが、好ましい。
図４に示されているように、全てのフレームは１３バイトでつくられる。第１のバイト１（ＤＴＡＴＲ）は、該ＯＳＤがキャラクタにつき１バイトを要求するヨーロッパ／アメリカタイプであるか日本語タイプ（２バイトを要求する）であるかを示し、一方２番目のバイト（ＢＹＴＥ）は、後のＤＡＴＡバイトの数を示す。続くＤＡＴＡバイト（ＤＡＴＡ１〜ＤＡＴＡ１１）は、表示されるべきＯＳＤデータを特定する。フレームシーケンスの第１のフレーム内では８キャラクタデータバイト（ＤＡＴＡ４〜ＤＡＴＡ１１）しか利用可能ではないが、残りのバイト（ＤＡＴＡ１〜ＤＡＴＡ３）は、言語及びキャラクタセットとメッセージモードとラインシーケンスとにそれぞれ関係するコントロール情報を保持している。
言語及びキャラクタセット（ＤＡＴＡ１）のためのバイトは、選ばれたキャラクタセット及び言語を示し、コードは対話形式言語命令の場合と同様である。モードバイト（ＤＡＴＡ２）は、以下のようなメッセージの重要性を示す。
通常（Ｎｏｒｍａｌ）：
カセットが再生中であることを示すためのＶＣＲから送られる「再生（Ｐｌａｙ）」と言うような通常のメッセージ、
重要（Ｉｍｐｏｒｔａｎｔ）：
再生又は記録の命令に対し、カセットが前記記録／再生デッキに存在しないときに、ＶＣＲから送られる「カセットが無い（Ｎｏ  Ｃａｓｓｅｔｔｅ）」と言うような重要なメッセージ、
警告（Ａｌｅｒｔ）：
「緊急（Ｅｍｅｒｇｅｎｃｙ）」と言うような警告メッセージ。
ラインシーケンスバイト（ＤＡＴＡ３）は、フレームが単一の又は多数のラインメッセージの第１のライン内の第１のフレームであるか否か、又はフレームが多数のラインメッセージの次のライン内の第１のフレームであるか否かに依存して、二つの表示のうちの一つを与える。単一の又は多数のラインメッセージの第１のライン内で、このバイトは、メッセージ内のラインの合計数、すなわち、メッセージが完了する前に受信される必要があるであろうフレームシーケンスの数を示す。多数のラインメッセージの２番目の又は次のラインの第１のフレーム内において、ＤＡＴＡ３バイトは、他のデータを保持していてもよい。
ＯＳＤのステータスリクエストは、ＯＳＤ機能に関する情報を得るために装置から表示副装置へ送られる。
当該ＯＳＤステータスリクエストへの応答は、「不実施」、「拒絶」、「完了」を示す応答バイトを含む。「不実施」という応答は、前記表示副装置が特定されたリクエスト又はオプションをサポートしないことを示す。「拒絶」の応答は、前記表示副装置が当該受けたリクエストを実行するための能力をもっているが、同じ又は他の表示副装置の命令／要求が受けられているか又は当該表示装置の現在の状態が実行を妨げている（例えば、ディスプレイが非動作であるか又は緊急状態である）ような現在の場合にそのように実行することができないということを示す。
「完了」の応答は、前記表示副装置が特定の前記言語及びキャラクタセット内のＯＳＤデータを表示し、以下の表に示されるように前記表示装置によりサポートされたＯＳＤレベルを示すレベルバイトを含むことを示す。
表１
［レベル］［表示装置］
一番目    同じフォーマット内の全てのモード（通常、重要及び警告）を表示する。
二番目    通常と重要モードに対する別々のフォーマットをサポートする。重要と同じフォーマット内に警告メッセージは表示される。
三番目    異なるフォーマット内で全てのモードを表示する。
表示のためのメッセージを発生させる装置の動作を簡単にするために、前記ユーザー出力副装置（図１のＯＳＤ機能５０）には、例えば、前にヨーロッパ特許公報０５０５００６号のシステムに提供されたものよりも大きな表示のコントロールが与えられる。
全てのＯＳＤメッセージには、これらメッセージの寿命の終わりにメッセージの削除をも制御するＯＳＤ機能により、固定された寿命（適切には少なくとも４秒）が与えられる。これは表示を計数するために表示されるべきメッセージを送り、次にメッセージの削除を要求する前記ＯＳＤ機能へ他のメッセージを送る責任を各副装置から取り除く。推察されるように、これはまた相互接続されたバスシステム上のメッセージの数を減らす。発生副装置は、特定された寿命より長いスクリーン上のメッセージを維持することを所望するならば、オリジナルの寿命内に表示の指示を再提供するように要求される。
図５は、ＯＳＤメッセージの動作の際前記ＯＳＤ機能により考慮されたファクターの数を表し、表示６２のためのメッセージの受信で開始するフローチャートである。メッセージが表示されることができるか否か（例えば、ディスプレイが非動作か又は緊急状態か）及びそうでないならば「拒絶」メッセージ（ＳＥＮＤ  ＲＥＪＥＣＴ）６６が前に述べられたように送られているか否かを確認するために、チェック（有効か（ＶＡＬＩＤ）？）６４が、行なわれる。
もし前記メッセージを表示することができるならば、要求されたフィールドの数に関する長さが決められ、かつ全体のメッセージを収容するための充分な現在使われていない表示フィールドがあるか否かを見るために、チェック（フィールドが利用可能か（ＦＩＥＬＤＳ  ＡＶＡＩＬＡＢＬＥ）？）６８が、現在の表示状態上で行なわれる。もし前に受けたメッセージが表示中であり、後のメッセージを収容するための充分な空きの表示フィールドが無い場合、相対的な「重要」を決めるために、二つのメッセージのそれぞれのモードの比較（より高いモードか（ＨＩＧＨＥＲ  ＭＯＤＥ）？）７０が行なわれる。もし前のメッセージが同じか又はより高いモードをもつならば、後のメッセージは失敗し、かつ（拒絶を送る（ＳＥＮＤ  ＲＥＪＥＣＴ）ステージ）６６が、「拒絶」メッセージを後のメッセージの発生副装置へ戻す。しかしながら、もし後のメッセージがより高いモードをもつならば、前のメッセージは、表示から完全に取り除かれ（現在の表示を削除（ＲＥＭＯＶＥ  ＰＲＥＳＥＮＴ  ＤＩＳＰＬＡＹ）７２）、これにより後のメッセージのために空きのディスプレイフィールドがつくられる。
（元々のメッセージまたは前のメッセージの削除の何れかにより）利用可能な空きフィールドが存在する場合には、メッセージのモードは、通常（ｎｏｒｍａｌ）７４、重要（ｉｍｐｏｒｔａｎｔ）７６又は警告（ａｌｅｒｔ）７８に決められ、かつメッセージタイマー（図示されていない）には、適切なメッセージの寿命、ＴＮＯＲＭＡＬ（ステップ８０）、ＴＩＭＰＯＲＴＡＮＴ（ステップ８２）又はＴＡＬＥＲＴ（ステップ８４）がロードされる。
当該タイマーがセットされれると、メッセージの表示（表示の開始（ＢＩＧＩＮ  ＤＩＳＰＬＡＹ））８６が始まる。カウントダウンループ８８は、メッセージの寿命をカウントし、満了の際、表示から当該メッセージを削除する（ステップ９０）。削除にしたがって、「完了（ｃｏｍｐｌｅｔｅｄ）」メッセージが、前述のように発生副装置に送られる（完了を送る（ＳＥＮＤ  ＣＯＭＰＬＥＴＥＤ）９２）。
図示されるように、ステップ９４には更なるチェックを含ませてもよい。これによって、通常、重要又は警告のように満足できるほど識別されていないモードをもつメッセージは、無効とみなされ、かつ「不実施」メッセージが発生副装置に送られる。
表示寿命のセッティングは、既述のようにメッセージのモードにより決めてもよく、これによりそのメッセージの表示持続期間がセッティングされる。他に、前記ＯＳＤ機能の複雑さを減らすために、ＯＳＤ機能は、これらのモード又は発生装置に関わらず、全受信したメッセージに固定された寿命を割り当ててもよい。このような場合に、図５のステップ７４から８４を、全てのメッセージに対するカウントダウンの時間基準へタイマーをセッティングする単一のステップにより置き換えてもよい。
第１のメッセージを表示中に、表示副装置が第二のメッセージを受信するときに発生するかもしれない衝突を減らすために、表示副装置は、以下の条件にしたがってＯＳＤメッセージを処理する。
−  表示副装置は、各メッセージを、当該表示が以前のメッセージの部分から自由になっていてかつスクリーン上でメッセージがミックスされる可能性を避けることを保証するために、別々のラインの組としてよりもむしろ単一のオブジェクトとして扱い；
−  メッセージを表示するための命令を受け入れ、メッセージの大きさ及び表示フィールドの利用可能性に応じて表示が可能か否かを決める。
次いで、認知メッセージを、メッセージが表示されたか否かを示す前記発生副装置に伝送させてもよい。
−当該表示機能が、両方のメッセージを同時に表示するのに充分に利用可能な表示フィールドが存在するという決定をしない限り、受信した
ＯＳＤメッセージは、以前のメッセージを上書きするであろう（すなわち，完全に置き換えられる）。
−  一つの発生装置又は副装置につき、一度に一つのメッセージしか表示させないようにしてもよい。
前記表示副装置により実施されたように、上述の条件は、これらが前記表示上の自由なラインを探すように要求されない点、前記表示の個別のラインによりサポートされるオプションを考慮することも要求されない点、およびリクエストを出す前のステップなしに前記表示副装置へ直接メッセージを送ることができるという点で、前記発生装置にとって有利である。ユーザーの利益は、部分的に上書きされたメッセージが当該表示上に表れることはないということである。
これまでの開示から、他の変形は当業者には明らかであろう。このような変形は設計上既に知られている他の特徴を含んでもよく、ローカルコミュニケーションバスシステム、家庭用オーディオ／ビデオ装置及びこれらの部品部分の製造及び使用、ここで既に述べられた特徴を加えて又はその代わりに使われてもよい。クレームはこの出願の中で特に特徴の組み合わせを明確に述べたけれども、本出願の開示の範囲はまた新奇な特徴、又はここに述べられた特徴の新奇な組み合わせ明らかに又は暗黙に又はこれらの一般化を含み、原クレームの何れかと同一の発明と関連する、本発明と同じような技術問題を軽減する。出願人はここに現在の出願又はここから引き出される他の出願の手続き遂行の間に、新しいクレームをこれら特徴の組み合わせ及び／又はこれらの特徴を明確に述べてもよいということに留意されたい。
【図面の簡単な説明】
【図１】本発明を具現化する家庭用オーディオ／ビデオシステムを示した図である。
【図２】本発明による表示上のメッセージフィールドの位置づけを表した図である。
【図３】表示上のメッセージフィールドの他の位置づけを表した図である。
【図４】図１のシステムで使われるオンスクリーンディスプレイのコントロールファンクションを表した図である。
【図５】ＯＳＤメッセージのコントロールとタイミングとを表したフローチャートである。
【符号の説明】
１０  衛星放送チューナー
１２  ビデオカセットレコーダー（ＶＣＲ）
１３  スマートカードリーダー
１４  テレビ受信器
１６  シリアルデータバス
２０，２２，２４  ＡＶＣ副装置
２６  チューナー副装置（ＴＵＮ）
２７  ユーザー入出力（ユーザーＩ／Ｏ）副装置（ＵＩＯ）
３０  ＶＣＲスイッチボックス副装置（ＳＢ）
３２  ビデオテープ記録再生デッキ
４１  ユーザー入出力副装置（ＵＩＯ）
４１ａ  リモコン
４２  地上放送チューナー副装置（ＴＵＮ）
４４  スイッチボックス副装置（ＳＢ）
４６  ビデオモニタ副装置（ＶＩＤ）
５０  オンスクリーンディスプレイ（ＯＳＤ）機能
６０  スクリーン空間
【図１】
0003934674.tif 000002
【図２】
0003934674.tif 000003
【図３】
0003934674.tif 000004
【図４】
0003934674.tif 000005
【図５】
0003934674.tif 000006